(57)【要約】      （修正有）【課題】レジ作業者の身体的な負担を低減させて、作業効率を向上させるレジ決済システムを提供する。【解決手段】レジカウンタ２１と、ショッピングカート１１とを備える。ショッピングカート１１のバケット１５を平面視において先端に向かって幅狭状に形成させるとともに、バケット１５の上縁を水平にする。レジカウンタ２１の上面にディスプレイ３１を搭載し、前記レジカウンタ２１の幅と前記ディスプレイ３１の幅とを等しくする。ショッピングカート１１のバケット１５の上縁と、前記レジカウンタの天板とを同じ高さにする。【選択図】図３
0003205762.tif 000002
【実用新案登録請求の範囲】
【請求項１】
レジカウンタと、
バケットを平面視において先端に向かって幅狭状に形成するとともに、バケットの上縁を水平にしたショッピングカートと
を備えたレジ決済システム。
【請求項２】
前記レジカウンタの上面にディスプレイを搭載し、前記レジカウンタの幅と前記ディスプレイの幅とを等しくした請求項１に記載のレジ決済システム。
【請求項３】
前記ショッピングカートのバケットの上縁と、前記レジカウンタのカウンタテーブルとを同じ高さにした請求項１または２に記載のレジ決済システム。
【請求項４】
前記レジカウンタを駆動手段により上下位置調節可能にした請求項１または２に記載のレジ決済システム。
【請求項５】
前記レジカウンタの内部に制御装置を設け、その制御装置を縦長形状にした請求項２〜４のうちのいずれか一項に記載のレジ決済システム。
【考案の詳細な説明】
【技術分野】
【０００１】
本考案は、ショッピングマーケット等において採用されるレジ決済システムに関するものである。
【背景技術】
【０００２】
レジ決済システムに用いられるショッピングカートが例えば特許文献１に開示されている。
この特許文献１の構成においては、フレームの上部にバケットが設けられ、このバケットの上縁が前下がりに傾斜されている。
【先行技術文献】
【特許文献】
【０００３】
【特許文献１】特開平９−２４８３６号公報
【考案の概要】
【考案が解決しようとする課題】
【０００４】
従って、ショッピングカートをレジカウンタに横付けして、ショッピングカートのバケット内の商品をひとつずつ取り出して、決済のためにバーコードをスキャナーによってスキャニングする場合、バケットの上縁がレジカウンタのカウンタテーブルの縁部に対して傾斜する状態となる。従って、バケットの上縁の一部がカウンタテーブルの上面から上方へ突出したり、逆に上縁の一部が下方へ落ち込んだりする。このため、レジカウンタのレジ作業者は、商品がバケットの上縁やカウンタテーブルの縁部に引っ掛からないように取り出す必要があって、この作業が連続すると、身体に対して大きな負担が与えられるおそれがあった。
【０００５】
本考案は、このような従来の技術に存在する問題点に着目してなされたものである。その目的は、レジカウンタのレジ作業者の身体に対する負担を低減できるレジ決済システムを提供することにある。
【課題を解決するための手段】
【０００６】
上記の目的を達成するために、本考案においては、レジカウンタと、バケットを平面視において先端に向かって幅狭状にするとともに、バケットの上縁を水平にしたショッピングカートとを備えたことを特徴とする。
【０００７】
以上の構成においては、ショッピングカートのバケットの上縁が水平になっているため、商品をバケットからスキャナーの位置に移動させる際や、スキャナーの位置から反対側のショッピングカートのバケット内に移動させる際に、商品がバケットフレームやカウンタテーブルの縁部に引っ掛かることを防止して、作業者に対する負担を軽減できる。
【考案の効果】
【０００８】
本考案によれば、レジカウンタにおける決済において、レジ作業者の負担を低減できるという効果を発揮する。
【図面の簡単な説明】
【０００９】
【図１】レジ決済システムを示す斜視図。
【図２】同じく側面図。
【図３】同じく正面図。
【考案を実施するための形態】
【００１０】
以下、本考案を具体化した実施形態を図面に基づいて説明する。
はじめに、ショッピングカート１１の構成を説明する。
図１及び図２に示すように、車輪１２を有するカートフレーム１３にはハンドル１４が設けられている。カートフレーム１３の上部には、商品を入れるためのバケット１５が設けられ、その上縁には細い棒材よりなるバケットフレーム１６が設けられている。バケットフレーム１６は水平面内に位置している。ここで、水平とは、車輪１２が水平面上を走行可能な状態において、水平になる状態を指す。
【００１１】
バケット１５のハンドル１４側には、開口１７が形成され、この開口１７に扉１８が開閉回転可能に支持されており、常には、扉１８はスプリング（図示しない）によって閉鎖状態に維持されている。バケット１５は上面から見て、先端側（図２の左側）が幅狭となるように幅狭状に形成されている。そして、ショッピングカート１１のバケット１５の開口１７から同バケット１５内に、他のショッピングカート１１のバケット１５が扉１８を開放させながら進入して、複数のショッピングカート１１が横方向に重ねられる。
【００１２】
次に、レジカウンタ２１の構成について説明する。
図２及び図３に示すように、レジカウンタ２１のカウンタ本体２２は、下部側部分２３と、その下部側部分２３に対して昇降可能にした上部側部分２４とによって構成されている。上部側部分２４の昇降は、両部分２３，２４の嵌合部２５によって案内される。下部側部分２３と上部側部分２４との間には、駆動手段として空圧シリンダ等のアクチュエータ２７が介在されており、このアクチュエータ２７により、上部側部分２４が昇降される。
【００１３】
上部側部分２４の上部には天板としてのカウンタテーブル２８が設けられ、そのカウンタテーブル２８及びカウンタテーブル２８上のコラム２６に、商品のバーコードを読み取るためのスキャナー２９がそれぞれ設けられている。コラム２６には、レシートを印刷するためのプリンタ３０，各種情報を表示するための平面ディスプレイ３１，各種情報を手動入力するためのキーボード３２が設けられている。
【００１４】
カウンタテーブル２８の幅は、ディスプレイ３１の幅と等しくなっている。ここで、カウンタテーブル２８の幅と、ディスプレイ３１の幅とが等しいということは、それらの幅の差が１０センチメートル以内であることを指す。
【００１５】
カウンタテーブル２８は、上下位置の調整範囲の中間位置において、その高さが前記バケットフレーム１６の上面と等しくなるようになっている。ここで、上下位置の調整とは、１８センチメートル以内の微調整範囲を示す。
【００１６】
前記上部側部分２４には、下部収容室３６１と上部収容室３６２とが形成され、下部収容室３６１内には、実施形態のレジカウンタ２１の各種電気機器の動作を制御するための制御装置としての制御ボックス３７と、前記アクチュエータ２７の駆動を制御するための駆動部３８と、電源ボックス３９とが収容されている。これらの制御ボックス３７，駆動部３８及び電源ボックス３９は、いずれも縦長で、縦置きされている。下部収容室３６１内は、レジ袋置き部３６３と、ハンドスキャナー置き部３６４とに区画されている。
【００１７】
以上のように構成された実施形態のレジ決済システムの作用を説明する。
本実施形態のレジ決済システムにおいて、商品の価格を決済する場合には、レジカウンタ２１の片側に、バケット１５が空になったショッピングカート１１が横付けされている。この状態で、商品の購買者により、バケット１５に商品が入れられたショッピングカート１１が空のショッピングカート１１の反対側に横付けされる。なお、図１においては、バケット１５の上縁のバケットフレーム１６が傾斜して、レジカウンタ２１のカウンタテーブル２８の上面とバケット１５の上縁であるバケットフレーム１６との間に高低差が存在するように見える。しかし、これは、バケット１５が先端側に向かって幅狭状になっているためであって、実際には、図２及び図３に示すように、バケットフレーム１６は傾斜されることなく、水平状態になっている。
【００１８】
そして、レジカウンタ２１のレジ作業者は、購買者側のショッピングカート１１から商品を取り出して、商品のバーコードをスキャナー２９で読み取り、反対側のショッピングカート１１に入れる。このようにして、購買者のショッピングカート１１が空になり、商品が反対側のショッピングカート１１に移し換えられたところで、商品全体の決済を行なえばよい。そして、購買者は、商品が移し換えられた側のショッピングカート１１を動かして、別位置において商品を袋や箱に納めることができる。
【００１９】
一方、レジカウンタ２１の横には、購買者が動かして来たショッピングカート１１が空の状態で残るため、レジ作業者は、次の商品購買者の商品を前記と同様にして、その残ったショッピングカート１１にスキャナー２９を介して移し換えることにより、決済を行なうことができる。
【００２０】
そして、本実施形態においては、以下の効果がある。
（１）ショッピングカート１１のバケット１５のバケットフレーム１６が水平になっている。このため、商品をバケット１５からスキャナー位置に移動させる際や、スキャナー位置から反対側のショッピングカート１１のバケット１５内に移し換える際に、商品がバケットフレーム１６やカウンタテーブル２８の縁部に引っ掛かることを防止して、作業者に対する負担を軽減でき、作業効率を向上できる。
【００２１】
これに対し、従来のショッピングカート１１のように、バケットフレーム１６が前下がりに傾斜していると、バケットフレーム１６の後部側がカウンタテーブル２８の上面より突出して、商品がバケットフレーム１６の後部側に引っ掛かることがある。また、バケットフレーム１６の前部側がカウンタテーブル２８より下がって、商品がカウンタテーブル２８の縁部に引っ掛かることもある。このため、作業者は、引っ掛からないように商品を動かす必要があって、身体的な負担が大きい。本実施形態では、このようなおそれを回避できる。
【００２２】
（２）ショッピングカート１１のバケットフレーム１６の高さと、カウンタテーブル２８の高さとを等しくしたことにより、前記と同様に、商品がバケットフレーム１６の上縁やカウンタテーブル２８に引っ掛かることを抑えて、作業者の負担を少なくでき、作業効率を向上できる。
【００２３】
（３）カウンタテーブル２８の高さを微調整できるようにしたことにより、カウンタテーブル２８の高さを作業者の体形に合わせたり、作業し易い高さに調整したりできるため、作業者の負担を抑えることができて、作業効率を向上できる。
【００２４】
（４）カウンタテーブル２８の幅をディスプレイ３１の幅と等しくしたことにより、カウンタテーブル２８の幅を狭くできる。このため、カウンタテーブル２８の両側に対し、ショッピングカート１１のバケット１５が狭い間隔で横付けされる。従って、作業者が商品を一方のバケット１５から他方のバケット１５へ移す作業において、体の動かす量を少なくできるため、肉体的負担を少なくできるとともに、作業効率を向上できる。
【００２５】
（５）レジカウンタ２１の下部収容室３６１内の制御ボックス３７，駆動部３８及び電源ボックス３９を縦長・縦置きにしたことにより、レジカウンタ２１の左右幅を狭くして、従って、カウンタテーブル２８の左右幅を狭くでき、前述のように、作業者の肉体的負担を少なくできるとともに、作業効率を向上できる。
【００２６】
（変更例）
なお、前記実施形態は、次のように変更して具体化することも可能である。
・レジカウンタ２１の上部側部分２４の高さ調整を手動によって行なうように構成すること。
【００２７】
・レジカウンタ２１の高さを固定とすること。
・レジカウンタ２１の上部側部分２４の昇降駆動がモータによって行なわれるように構成すること。
【符号の説明】
【００２８】
１１…ショッピングカート、１５…バケット、１６…バケットフレーム、２１…レジカウンタ、２８…カウンタテーブル、３１…ディスプレイ、３６…下部収容室、３９…制御ボックス。
【図１】
0003205762.tif 000003
【図２】
0003205762.tif 000004
【図３】
0003205762.tif 000005